(57)【要約】【課題】不特定の場所でナビゲーションの目的地設定が可能とすることにより、目的地設定に利便性を持たせたナビゲーションシステムを提供する。【解決手段】本発明のナビゲーションシステムは、ネットワーク３に接続された携帯端末装置２と、ネットワーク３に接続されたナビゲーション装置１とから構成される。ネットワーク３を介して携帯端末装置２により観光施設またはレストラン等の目的地のホームページを閲覧する際に、その閲覧画面に目的地設定を指示する設定指示手段を設け、設定指示手段により設定指示が実行された場合、ホームページに表示されている目的地を特定する情報が携帯端末装置２からナビゲーション装置１に送信され、ナビゲーション装置１は受信した目的地情報に基づいて目的地設定を行う。【選択図】  図１
2007187482.tif 000002
【特許請求の範囲】
【請求項１】
ネットワークに接続された携帯端末装置と、
ネットワークに接続されたナビゲーション装置とから構成されるナビゲーションシステムであって、
前記携帯端末装置において目的地の情報を表示した画面に目的地設定を指示する設定指示手段を設け、
前記設定指示手段により設定指示が実行された場合、前記画面に表示されている前記目的地を特定する情報が前記携帯端末装置から前記ナビゲーション装置に送信され、該ナビゲーション装置は受信した目的地情報に基づいて目的地設定を行うことを特徴とするナビゲーションシステム。
【請求項２】
前記携帯端末装置には前記ネットワークを介して取得した目的地のホームページが表示され、該ホームページの閲覧画面に前記設定指示手段が設けられる請求項１記載のナビゲーションシステム。
【請求項３】
前記目的地を特定する情報は、ネットワークを介して前記携帯端末装置から前記ナビゲーション装置に送信される請求項１または２記載のナビゲーションシステム。
【請求項４】
前記携帯端末装置は、予め登録してあるナビゲーション装置に前記目的地を特定する情報を送信する請求項１または２記載のナビゲーションシステム。
【請求項５】
前記携帯端末装置に前記目的地を特定する情報の送信先として複数のナビゲーション装置が登録されている場合、何れかのナビゲーション装置を選択させる請求項４記載のナビゲーションシステム。
【請求項６】
前記ナビゲーション装置は、新たに前記目的地設定を行った場合、起動された際に新規に目的地設定が行われたことを表示する請求項１または２記載のナビゲーションシステム。
【請求項７】
前記携帯端末装置には、該携帯端末装置とは別の携帯端末装置から送信されてきた前記目的地を特定する情報が表示され、該目的地を特定する情報の表示画面に前記設定指示手段が設けられる請求項１記載のナビゲーションシステム。
【請求項８】
前記目的地設定を指示する設定指示手段を、前記目的地を特定する情報が送信されてきたナビゲーション装置に設け、該ナビゲーション装置は前記設定指示手段により他のナビゲーション装置または携帯端末装置に前記目的地を特定する情報を送信する請求項１記載のナビゲーションシステム。
【発明の詳細な説明】
【技術分野】
【０００１】
本発明は、自車位置周辺の地図表示や目的地までの誘導表示を行うナビゲーションシステムに関し、とくに目的地設定に利便性を持たせたナビゲーションシステムに関する。
【背景技術】
【０００２】
従来、車載用のナビゲーションシステムは、車両の現在位置を検出し、その近傍の地図データを蓄積媒体から読み出して画面上に表示するとともに、自車位置を示すマークを表示することにより、常時自車位置周辺の地図をドライバーに知らせるようにしている。また、ドライバーが目的地に向かって間違いなく走行できるように、経路の誘導機能を有しているナビゲーションシステムも使用されている。例えば、交差点に差し掛かる手前で走行すべき進行方向を矢印で表示することにより、進路を間違えないように誘導している。
【０００３】
従来、ナビゲーションシステムにおいては、目的地の設定は、例えば住所や電話番号を入力することにより行われている。このような目的地設定方法は、住所や電話番号を正確に知っていなければならず、例えば住所や電話番号を書き記したメモを見ながらナビゲーション装置に対して入力操作を行うようにしていた。そのため入力操作は煩わしいものであった。
【０００４】
他方、インターネットのウェブページ上では観光施設や各地の名所あるいはレストランやホテル等のホームページが閲覧できるようになっている。ウェブページで紹介されている観光施設やレストランあるいはホテル等の位置を、ナビゲーションシステムの目的地として設定し、その観光施設やレストランあるいはホテル等のある場所までナビゲーションシステムで誘導することができれば便利である。これを実現するナビゲーション装置が、例えば特開２０００−３３７９１１号公報に開示されている。
【０００５】
上記公報に開示されるナビゲーション装置では、コンピュータネットワーク網と接続し、コンピュータネットワーク網を介して送られてくる情報の中から住所や電話番号等の場所を特定するための文字情報を抽出し、抽出された文字情報によりサーバで位置情報を検索し、検索された位置情報を目的地として設定するようにしている。これにより、ウェブページで紹介されている観光施設やレストランあるいはホテル等のある場所を地図上に表示させたり、その場所まで誘導することが可能となる。
【特許文献１】特開２０００−３３７９１１号公報
【発明の開示】
【発明が解決しようとする課題】
【０００６】
しかしながら、上記公報に記載のナビゲーション装置においては、ウェブページをナビゲーション装置の表示部に表示し、そのウェブページ上から紹介されている観光施設やレストランあるいはホテル等の住所や電話番号の文字列が抽出される。そして抽出された文字列から位置情報が検索されるようになっている。即ち、ナビゲーション装置のある場所で目的地設定を行っている。
【０００７】
インターネットのウェブページの閲覧者は、携帯端末等を用いて不特定の場所でウェブページを閲覧することができる。携帯端末により紹介されている観光施設等を閲覧した際に、その場でナビゲーションの目的地設定をしておくことができれば、忘れることなく行きたい場所の目的地設定ができる。
【０００８】
本発明はこのような観点からなされたもので、不特定の場所でナビゲーションの目的地設定を可能とすることにより、目的地設定に利便性を持たせたナビゲーションシステムを提供することを目的とする。
【課題を解決するための手段】
【０００９】
上記課題を解決するために、本発明のナビゲーションシステムは、ネットワークに接続された携帯端末装置と、ネットワークに接続されたナビゲーション装置とから構成されるナビゲーションシステムであって、前記携帯端末装置において目的地の情報を表示した画面に目的地設定を指示する設定指示手段を設け、前記設定指示手段により設定指示が実行された場合、前記画面に表示されている前記目的地を特定する情報が前記携帯端末装置から前記ナビゲーション装置に送信され、該ナビゲーション装置は受信した目的地情報に基づいて目的地設定を行うことを特徴とするものである。
【００１０】
目的地設定を指示する設定指示手段は、携帯端末装置にネットワークを介して取得した目的地のホームページを表示し、該ホームページの閲覧画面に設けるようにしてもよいし、また携帯端末装置に該携帯端末装置とは別の携帯端末装置から送信されてきた目的地を特定する情報を表示し、該目的地を特定する情報の表示画面に設けるようにしてもよい。
【発明の効果】
【００１１】
上記構成の本発明によれば、設定指示手段により設定指示が実行された場合、携帯端末装置に表示されている目的地を特定する情報が携帯端末装置からナビゲーション装置に送信され、該ナビゲーション装置は受信した目的地情報に基づいて目的地設定を行うようにしたので、利用者は不特定の場所で目的地設定を行うことが可能となる。
【発明を実施するための最良の形態】
【００１２】
以下、本発明を実施するための形態を図面に従って説明する。なお各図面に共通する要素には同一の符号を付す。図１は本発明の第１実施の形態によるナビゲーションシステムを示すブロック図である。図１において、ナビゲーション装置１および携帯端末装置２はネットワーク３に接続されている。またネットワーク３にはレストラン４やホテル５等も接続されている。
【００１３】
ナビゲーション装置１は、以下の各要素から構成されている。制御部１０はナビゲーション装置１の動作全体を制御するもので、ＣＰＵ等により構成されている。制御部１０には通信制御部１１、記憶媒体１２、位置検出部１３、表示部１４および目的地設定部１５が接続されている。通信制御部１１は、ネットワーク３を介して、ネットワーク３に接続された他の機器（携帯端末装置２を含む）との間でデータ通信処理を行い、ナビゲーション装置１の電源が切れている時においても、バッテリバックアップされており、送受信が可能となっている。
【００１４】
記憶媒体１２は、地図表示や経路探索等に必要な地図情報等を記録しているもので、ＤＶＤ等により構成される。位置検出部１３は、ＧＰＳ（global positioning system）受信機を使用して、ＧＰＳ衛星からの電波を受信して車両の現在位置を検出するものである。位置検出部１３で車両の現在位置を検出し、その位置情報に基づいて記憶媒体１２から近傍の地図データを読み出すことにより、車両が現在走行している近辺の地図を表示可能になる。表示部１４は、制御部１０から出力される画像データに基づいて、車両の近辺の地図や誘導経路を表示する。目的地設定部１５は、目的地を特定する情報を設定し、格納する。
【００１５】
携帯端末装置２は、携帯電話またはＰＨＳ等から成り、ネットワーク３に接続する他の装置とデータ通信が可能である。携帯端末装置２は、全体の制御を行う制御部２０、ネットワーク３との通信制御を行う通信制御部２１、表示部２２、入力部２３および登録記憶部２４を有している。制御部２０は、図示しないが、使用者によるモード選択に応じて各種の処理を行うＣＰＵ、システムを作動させるためのプログラム等を格納するＲＯＭ、ワーキングメモリとして動作するＲＡＭ等から構成されている。なお処理モードとして、ナビゲーション装置１に対して目的地設定を行う目的地設定モードを含むものである。
【００１６】
表示部２２は、制御部２０の処理に基づいて各種の情報を出力するもので、液晶ディスプレイ等を用いている。入力部２３は、表示部２２に表示された所定のコマンドをクリックするためのボタン等を有するもので、各種の情報入力を行う。登録記憶部２４は、ナビゲーションにおける目的地設定を行うナビゲーション装置の識別情報を登録しておくものである。制御部２０は、この登録記憶部２４に登録されているナビゲーション装置１に対して目的地設定を行う。
【００１７】
次に第１の実施の形態のナビゲーションシステムの動作を説明する。ここでは携帯端末装置２から目的地設定を行う場合について図２のフローチャートにしたがって説明する。図２は実施の形態の目的地設定動作を示すフローチャートである。携帯端末装置２の使用者は、任意の場所でネットワーク３を介してレストラン４やホテル５のホームページを表示して閲覧する（ステップ１）。図３に、携帯端末装置２の表示部２２に表示されたあるレストラン４のホームページを示す。
【００１８】
図３にはレストラン４を特定する情報として、住所３１および電話番号３２が表示されるとともに、「目的地設定」ボタン３３が表示されている。ここで使用者が入力部２３を操作して「目的地設定」ボタン３３をクリックすると（ステップ２）、制御部２０は登録記憶部２４から目的地設定を行うナビゲーション装置１の識別情報を読み出す。ここで識別情報が複数登録されているかどうか判断する（ステップ３）。
【００１９】
登録記憶部２４に複数のナビゲーション装置の識別情報が格納されていた場合は、情報の送信先をどのナビゲーション装置にするのか使用者に選択させる画面を表示し（ステップ４）、いずれか１つまたはそれ以上のナビゲーション装置１を選択させる。この場合、選択画面に表示する情報としては、識別情報そのものでは使用者にわかりにくいので、ナビゲーション装置１が搭載されている自動車の所有者または車種を表示するようにしてもよい。このようにするためには、登録記憶部２４に識別情報と共に所有者または車種の情報も記憶しておく。
【００２０】
使用者がいずれかの所有者又は車種を選択した場合（ステップ５）、または登録記憶部２４に１つだけナビゲーション装置の識別情報が格納されていた場合、次に制御部２０は、送信先に送信すべき情報を選択させる画面を表示させる（ステップ６）。送信する情報はレストラン４を特定する情報でなければならず、この場合、住所３１および電話番号３２である。したがって使用者は、住所３１または電話番号３２の表示位置にカーソルを合わせ、クリックする。一般に、ホームページには住所および電話番号が表示されており、使用者はいずれかの情報をクリックすることになる。ここで使用者は、例えば電話番号３２の表示位置の先頭の位置にカーソルを合わせてクリックしたとする。
【００２１】
これにより制御部２０は、カーソルの位置情報に基づいて特定された位置の前後の文字データを抽出する（ステップ７）。ここでは電話番号３２の数字が抽出される。制御部２０は抽出された文字データが数字であることを認識することにより、これが電話番号であることを認識する。
【００２２】
次に制御部２０は、ステップ５で選択したナビゲーション装置１または登録記憶部２４にただ１つ識別情報が記憶されていたナビゲーション装置１に対して文字データを送信する（ステップ８）。このとき文字データが電話番号であることを示す情報も併せて送信する。以上により携帯端末装置２による目的地設定のための動作を終了する。
【００２３】
次にナビゲーション装置における目的地設定動作を説明する。図４はナビゲーション装置における目的地設定動作を示すフローチャートである。ナビゲーション装置１の制御部１０は、携帯端末装置２からネットワーク３を介して文字データ（電話番号）が送信されてくると（ステップ１１）、その文字データが目的地設定用の情報であることを送信データに含まれる送信情報により認識し、装置１の電源を投入する（ステップ１２）。そして文字データを目的地設定部１５に格納して目的地情報として設定する（ステップ１３）。
【００２４】
図５はナビゲーション装置におけるナビゲーション動作を示すフローチャートである。次に図５にしたがって、ナビゲーション動作について説明する。使用者により電源が投入されると、ナビゲーション装置１の制御部１０は、まずメニュー画面を表示する（ステップ２１）。目的地情報が目的地設定部１５に新たに設定された場合（ステップ２２）、図６に示すように、メニュー画面４１には「新規目的地設定有り」の表示４２がなされる（ステップ２３）。
【００２５】
ここでナビゲーション装置１の使用者は新規に設定した目的地にナビゲーションを使用して行きたいものとする。この場合、使用者は図６に示す「新規目的地設定有り」の表示４２をタッチする。表示部１４はタッチパネル入力部が具備され、表示部１４の一部にタッチすることにより所定の入力を行うことができる。なお他の目的地を設定する場合については通常のナビゲーションの入力操作を行う。この場合についての説明は省略する。
【００２６】
制御部１０は、「新規目的地設定有り」の表示４２がタッチされたことを検出すると（ステップ２４）、目的地設定部１５に設定してある文字データを読み出し（ステップ２５）、文字データが電話番号であるかどうか判定する（ステップ２６）。ここで電話番号であると判定した場合、その電話番号に対応する地図上の住所を検索する（ステップ２７）。
【００２７】
住所が検索されると、また文字データが住所に対応するものであると判定した場合、制御部１０は、特定された住所に対応する地図データを記憶媒体１２から読み出す（ステップ２８）。ここで制御部１０は、現在地から目的地までの距離および目的地までの予想到着時刻を求め、表示部１４に表示する（ステップ２９）。目的地までの距離は、地図データ中の現在地と目的地とを結ぶ経路から算出され、目的地までの予想到着時刻は、地図データ中の現在地と目的地を結ぶ経路の走行時間と現在時刻から算出される。図７に表示例を示す。
【００２８】
図７において、表示部１４にはそのほかに「登録」の表示４３と「スタート」の表示４４が表示される。ここで「スタート」の表示４４がタッチされると（ステップ３０）、目的地までのナビゲーション動作が開始され（ステップ３１）、「登録」の表示４３がタッチされると（ステップ３０）、ナビゲーション装置１の目的地設定部１５に再度目的地設定がなされる（ステップ３２）。
【００２９】
以上のように本実施の形態によれば、携帯端末装置２で観光施設やレストラン等のホームページを閲覧した際に、携帯端末装置２から目的地の情報をネットワーク３を介してナビゲーション装置１に送信することにより、行きたいと思い立ったときに直ぐに目的地設定をおこなうことができ、利便性に優れ、後回しにすることによる設定忘れがないという効果を奏する。
【００３０】
本発明は上記の実施の形態に限定されるものではなく、種々の変形が可能である。図８は上記実施の形態の第１の変形例を示すブロック図である。図８において、第１の変形例では、ネットワーク３に使用者のナビゲーション装置１および使用者の携帯端末装置２ａが接続されるとともに、他者（例えば使用者の友人または家族等）の携帯端末装置２ｂが接続されている。
【００３１】
この例では、目的地情報を含む情報を他者の携帯端末装置２ｂからネットワーク３を介して使用者の携帯端末装置２ａに送信することができる。目的地情報が送信されてきた場合、使用者の携帯端末装置２ａにその目的地情報が格納される。そして使用者は適当な時に携帯端末装置２ａから自分のナビゲーション装置１に目的地情報を送信して目的地設定を行う。
【００３２】
上記実施の形態では、携帯端末装置２ａで観光施設やレストラン等のホームページを閲覧している状態から目的地情報をナビゲーション装置１に送信する例を説明したが、この第１変形例ではホームページ以外の目的地情報を含む送信情報により目的地設定を行うようにしている。そのためナビゲーションの目的地設定をより幅広い情報から行うことができ、また自分の都合でいつでも目的地設定を行うことができるので、利便性がさらに向上する。
【００３３】
図９は上記実施の形態の第２の変形例を示すブロック図である。図９において、第２の変形例では、ネットワーク３に使用者のナビゲーション装置１ａおよび使用者の携帯端末装置２ａが接続されるとともに、他者（例えば使用者の友人）のナビゲーション装置１ｂおよび携帯端末装置２ｂが接続されている。
【００３４】
使用者の携帯端末装置２ａから観光施設やレストラン等のホームページを閲覧して使用者の行きたい目的地の情報を自分のナビゲーション装置１ａに送信して目的地設定を行う。これは上記実施の形態で説明したとおりに行う。ここで使用者は、自分の携帯端末装置２ａから他者のナビゲーション装置１ｂまたは他者の携帯端末装置２ｂに目的地情報を送信するようにしてもよい。
【００３５】
自分の携帯端末装置２ａから他者のナビゲーション装置１ｂに目的地情報を送信する場合は、上記実施の形態において説明した登録記憶部２４に、この他者のナビゲーション装置の識別情報が格納しておき、送信の際に目的地情報の送信先としてこの他者のナビゲーション装置１ｂを使用者に選択させることにより送信を行う。
【００３６】
また使用者のナビゲーション装置１ａに設定された目的地情報を他者のナビゲーション装置１ｂまたは携帯端末装置２ｂに送信するようにしてもよい。使用者のナビゲーション装置１ａには図１０に示すように、送信先登録部５１が設けられており、この送信先登録部５１に目的地情報を送信する送信先の識別情報が格納されている。ナビゲーション装置１ａから設定された目的地情報を他者のナビゲーション装置１ｂに送信する場合は、送信先登録部５１に格納された識別情報により送信先のナビゲーション装置１ｂを使用者に選択させることにより、目的地情報を送信する。
【００３７】
図１１はナビゲーション装置１ａの表示部１４に表示された送信先選択画面を示す説明図である。メニュー画面５２には「目的地情報の送信」の表示５３がなされる。ここで使用者が「目的地情報の送信」の表示５３にタッチすると、目的地情報の送信先の選択画面が表示される。図１２に目的地情報の送信先の選択画面を示す。
【００３８】
図１２において、送信先選択画面５４には、送信先登録部５１に格納されたすべてのナビゲーション装置の所有者が表示される。この場合、選択画面に表示する情報としては、識別情報そのものでは使用者にわかりにくいので、ナビゲーション装置の所有者を表示するようにしている。そして各所有者の表示に対応して選択キー５５ａ、５５ｂ、５５ｃが表示されている。使用者はいずれかの選択キー５５ａ、５５ｂ、５５ｃにタッチすることにより送信先を選択する。
【００３９】
同様に使用者のナビゲーション装置１ａに設定された目的地情報を他者の携帯端末装置２ｂに送信する場合も送信先の識別情報を送信先登録部５１に格納しておき、この識別情報により使用者に送信先の携帯端末装置２ｂを選択させて送信する。
【００４０】
以上のように第２の変形例によれば、目的地情報を、使用者の携帯端末装置２ａから使用者のナビゲーション装置１ａに送信するだけでなく、使用者の携帯端末装置２ａまたはナビゲーション装置１ａから、他者の携帯端末装置２ｂまたはナビゲーション装置１ｂに送信するようにしたので、例えば、友人同士の間で目的地情報の相互送信でき、目的地情報の効率的な利用が図れるという効果が得られる。
【図面の簡単な説明】
【００４１】
【図１】実施の形態によるナビゲーションシステムを示すブロック図である。
【図２】実施の形態の目的地設定動作を示すフローチャートである。
【図３】ホームページの表示を示す説明図である。
【図４】ナビゲーション装置における目的地設定動作を示すフローチャートである。
【図５】ナビゲーション装置におけるナビゲーション動作を示すフローチャートである。
【図６】メニュー画面を示す説明図である。
【図７】新規目的地までの距離および所要時間の表示例を示す説明図である。
【図８】実施の形態の第１の変形例を示すブロック図である。
【図９】実施の形態の第２の変形例を示すブロック図である。
【図１０】第２の変形例のナビゲーション装置を示すブロック図である。
【図１１】第２の変形例のナビゲーション装置に表示された送信先選択画面を示す説明図である。
【図１２】第２の変形例における目的地情報の送信先の選択画面を示す説明図である。
【符号の説明】
【００４２】
１、１ａ、１ｂ  ナビゲーション装置
２、２ａ、２ｂ  携帯端末装置
３  ネットワーク
１０  制御部
１１  通信制御部
１４  表示部
１５  目的地設定部
２０  制御部
２１  通信制御部
２２  表示部
２４  登録記憶部
【図１】
2007187482.tif 000003
【図２】
2007187482.tif 000004
【図３】
2007187482.tif 000005
【図４】
2007187482.tif 000006
【図５】
2007187482.tif 000007
【図６】
2007187482.tif 000008
【図７】
2007187482.tif 000009
【図８】
2007187482.tif 000010
【図９】
2007187482.tif 000011
【図１０】
2007187482.tif 000012
【図１１】
2007187482.tif 000013
【図１２】
2007187482.tif 000014